(57)【要約】      （修正有）【課題】給水装置の故障頻度を低減し、当該給水装置の小型化・軽量化を図り、故障した給水ポンプの交換作業を短時間に終えられる給水装置を提供する。【解決手段】内部へのガスの吸気又は外部へのガスの排気と連動するダイアフラムを有する給水ポンプと、水貯留部と貯留した水に浮遊する球状栓と貯留した水を吐出する吐出孔とを有し、給水ポンプの吐出側に接続される水検知装置と、給水ポンプからの給水がなくなったとき球状栓が吐出孔を封止し、水検知装置の内部の圧力が所定の上限圧力に達したとき給水ポンプの作動を停止させる給水ポンプ停止手段と、を具備する。【選択図】図１
0003163061.tif 000002
【実用新案登録請求の範囲】
【請求項１】
飲料原料を水で希釈し飲料を供給する飲料ディスペンサーに着脱可能に組み付けられる機構と、ガスを駆動力として給水することができる給水ポンプとを具備することを特徴とする飲料ディスペンサー用給水装置。
【請求項２】
給水ポンプが、飲料ディスペンサーで使用されるガスを流用する機構を具備することを特徴とする請求項１に記載の給水装置。
【請求項３】
水貯留部と貯留した水に浮遊する球状栓と貯留した水を吐出する吐出孔とを有し、給水ポンプの吐出側に接続される水検知装置と、給水ポンプからの給水がなくなったとき球状栓が吐出孔を封止し、水検知装置の内部の圧力が所定の上限圧力に達したとき給水ポンプの作動を停止させる給水ポンプ停止手段と、を具備することを特徴とする請求項１又は２に記載の給水装置。
【請求項４】
水の吐出圧力を検知し水検知装置の吐出側に接続される圧力検知器と、圧力検知器によって検知した吐出圧力が所定の下限圧力に達したとき警告をする警告手段とを具備することを特徴とする請求項３に記載の給水装置。
【請求項５】
水検知装置が、球状栓が吐出孔を封止した状態を解除する解除装置と、水検知装置内部の空気と外部の空気を接触させることにより内部の圧力を低下させる脱気装置とを具備することを特徴とする請求項３又は４に記載の給水装置。
【請求項６】
解除装置が、手動により作動するレバーと、レバーと連動し球状栓を押し上げ球状栓が吐出孔を封止した状態を解除する押上棒とを具備することを特徴とする請求項５に記載の給水装置。
【考案の詳細な説明】
【技術分野】
【０００１】
本発明は、飲料用ディスペンサー又はカップ式自動販売機で飲料原料を希釈するために使用される水を供給するための装置に関する。
【背景技術】
【０００２】
従来、飲料用ディスペンサー又はカップ式自動販売機の飲料原料を希釈する際に使用される水は水道水が使用されているが、上水設備が整えられた店舗などの屋内や近くにそれらの設備がある屋外に限られる。また、周囲に上水設備がなくとも種々の容器に貯水しておき、その水を利用する方法も採られている。
【０００３】
そのような水を供給する装置として、例えば特許文献１では電気でポンプを制御し給水する装置が記載されている。
【先行技術文献】
【特許文献】
【０００４】
【特許文献１】特開２０００−１４２８９１号公報（段落００１４、図１）
【考案の概要】
【考案が解決しようとする課題】
【０００５】
上述の特許文献１に記載の給水機構では、電気制御装置から圧送ポンプの作動を制御しているため、電気系統の故障により圧送ポンプが作動しなくなり、飲料原料を希釈するために水が供給されなくなるという不都合が生じる。
【０００６】
また、圧送ポンプのみならず、その圧送ポンプに連結する弁なども電気により制御されると、電気制御装置が大きくなり、コンパクトな飲料ディスペンサー又はカップ式自動販売機を制作できず、ひいては当該飲料ディスペンサー又はカップ式自動販売機の設置場所が制約されるおそれがある。
【０００７】
さらに、給水ポンプが故障し取り換え作業を行う際に、電気配線の着脱も行う必要があるため、交換作業の安全確保に留意することを含め交換するために要する時間が多く掛かる。
【０００８】
そこで、本考案では、前述した課題に対し、給水装置の故障頻度を低減し、当該給水装置の小型化・軽量化を図り、故障した給水ポンプの交換作業を短時間に終えられる給水装置を製作することを目的とする。
【課題を解決するための手段】
【０００９】
すなわち本考案に係る給水装置は、飲料原料を水で希釈し飲料を供給する外部接続機器である飲料ディスペンサーに着脱可能に組み付けられる機構と、ガスを駆動力として給水することができる給水ポンプとを具備することを特徴とする飲料ディスペンサー用給水装置である。
【００１０】
このようなものであれば、以下の作用効果を奏する。すわなち、給水ポンプが電気ではなくガスを駆動力とするため、給水ポンプの故障頻度を大きく低減でき、飲料ディスペンサー又はカップ式自動販売機の作動に支障を来さない。
【００１１】
そして、給水ポンプはガスを駆動力とするため給水ポンプを作動させるための電気配線が必要なく、給水装置を小型化・軽量化することができる。
【００１２】
そして、給水ポンプが故障したとしても電気配線がないため故障した給水ポンプの交換作業に時間が掛からずメンテナンスが容易になる。
【００１３】
なお、使用するガスの管理を容易にするため及び飲料用ディスペンサー又はカップ式自動販売機全体の大きさをコンパクトにするためには給水ポンプが、飲料ディスペンサーで使用されるガスを流用する機構を具備することが望ましい。
【００１４】
貯水容器からの給水が停止した際に給水ポンプを確実に停止させるため、水貯留部と貯留した水に浮遊する球状栓と貯留した水を吐出する吐出孔とを有し、給水ポンプの吐出側に接続される水検知装置と、給水ポンプからの給水がなくなったとき球状栓が吐出孔を封止し、水検知装置の内部の圧力が所定の上限圧力に達したとき給水ポンプの作動を停止させる給水ポンプ停止手段と、を具備することが望ましい。
【００１５】
貯水容器などの外部給水源からの給水が停止したことを人間に知らせるため、水の吐出圧力を検知し水検知装置の吐出側に接続される圧力検知器と、圧力検知器によって検知した吐出圧力が所定の下限圧力に達したとき警告をする警告手段とを具備することが望ましい。
【００１６】
給水停止後に再度給水可能とするために、水検知装置が、球状栓が吐出孔を封止した状態を解除する解除装置と、水検知装置内部の空気と外部の空気を接触させることにより内部の圧力を低下させる脱気装置とを具備することが望ましい。
【００１７】
球状栓が吐出孔を封止した状態を容易に解除させるために、解除装置が、手動により作動するレバーと、レバーと連動し球状栓を押し上げ球状栓が吐出孔を封止した状態を解除する押上棒とを具備することが望ましい。
【考案の効果】
【００１８】
以上説明したように本考案に係る給水装置によれば、給水ポンプが電気ではなくガスを駆動力とするため、給水ポンプの故障頻度を大きく低減でき、飲料ディスペンサーの作動に支障を来さない。
【００１９】
そして、給水ポンプはガスを駆動力とする機械式のため、水を流すための電気配線が必要なく給水装置を小型化・軽量化することができる。
【００２０】
そして、給水ポンプが故障したとしても電気配線がないため故障した給水ポンプの交換作業に時間が掛からずメンテナンスが容易になる。
【００２１】
そして、給水装置の内部で給水停止を確認することができるため、外部給水源として貯水容器を使用したとしても汎用の容器を使用することができる。
【図面の簡単な説明】
【００２２】
【図１】給水装置に水があるときの給水装置の正面図。
【図２】給水装置に水がなくなった後に止水栓を押し上げたときの給水装置の正面図。
【図３】給水装置に水があるときの給水装置のＡ−Ａ断面図。
【図４】給水装置に水がなくなった後に止水栓を押し上げたときの給水装置のＢ−Ｂ断面図。
【図５】給水装置に水があるときの電気回路図。
【考案を実施するための形態】
【００２３】
以下、本考案に係る給水装置に関する一実施形態について詳しく説明する。なお、以下に説明する実施形態は、本考案を実施するに好ましい具体例であるから、技術的に種々の限定がなされているが、本考案は、以下の説明において特に考案を限定する旨明記されていない限り、これらの形態に限定されるものではない。
【実施例】
【００２４】
本考案の給水装置は、図１、図２、図３、図４に示されるように給水ポンプ１と、水検知装置２と、レギュレーター３と、圧力検知器４を具備しており、可撓性を有するホース及びホースを連結させる連結器具で各々接続されている。
【００２５】
給水装置は、飲料原料を水で希釈し飲料を供給する外部接続機器Ｃである飲料ディスペンサーに可撓性を有するホース及びホースを連結させる連結器具を介し手動により着脱可能に組み付けられる。
【００２６】
給水ポンプ１は、当該ポンプ内へのガスの吸気又は当該ポンプ外へのガスの排気と連動するダイアフラムを具備しており、ガスの吸気によりダイアフラムが移動し内圧が上がり、内部の水が当該ポンプ外へ排水され、一方、ガスの排気によりダイアフラムが移動し内圧が下がり外部の水が当該ポンプ内に給水され、ガスと水とは直接接触することはない機構を具備している。
【００２７】
また、供給ポンプ１は、ガスの吸気から排気までの１サイクルで１００ｍｌ以上の水を供給し、１．４〜５．９ｋｇｆ／ｃｍ２の範囲のガス圧力で作動する性能を有していることが望ましい。
【００２８】
給水ポンプ１へ供給されるガスは、給水装置の外部に設置されたガスボンベ、特に省スペースの観点から飲料用ディスペンサーで使用しているガスボンベのガスを流用することが望ましい。
【００２９】
また、給水ポンプ１へ供給するガスの圧力を調節するために、給水ポンプ１にガスが流入する前にレギュレーター３を設けることが望ましい。
【００３０】
また、使用するガスとしては、二酸化炭素、窒素、圧縮空気が例示されるが、飲料用ディスペンサーに流用する場合には二酸化炭素が望ましい。
【００３１】
貯水容器Ａ１及びＡ２に水が十分にある場合、給水ポンプ１は、貯水容器Ａ１及びＡ２から水を汲み上げる。また、同時に供給ポンプ１に、二酸化炭素ボンベＢからレギュレーター３を介し一定圧力に調整されたガスが供給される。
【００３２】
なお、本実施例では、外部に設置された２個の貯水容器Ａ１及びＡ２を想定し例示しているが、貯水容器の個数は、１個でも良くまた３個以上であっても良い。
【００３３】
水検知装置２は、その内部に水を貯留することができる水貯留部２１と、水貯留部に水が存在するときには水に浮遊し水が無くなると流水経路を分断する球状栓２２と、貯留した水を吐出する吐出孔２３と、水が無くなった後に再度水が流通するようにするため給水ポンプ１から送られてきた空気による水検知装置２の加圧状態を解除する脱気装置２４と、水の流路を確保するため球状栓２２を上部に持ち上げるレバー２５と、レバー２５と連動し球状栓２２を押上げ球状栓２２が吐出孔２３を封止した状態を解除する押上棒２６とを具備する。
【００３４】
そして、この水貯留部２１に貯留された水が、給水ポンプ１の送液圧力により、吐出孔２３から吐出され、給水装置の外部に設置された外部接続機器Ｃである飲料用ディスペンサーへと送液される。
【００３５】
水貯留部２１の内部に、比重が水のそれよりも小さい球状栓２２が、水貯留部２１内部を遊動するように設置されており、図１、図３に示すように水検出装置２の内部に水が存在している場合には、その浮力により球状栓２２は水面付近に浮遊する。
【００３６】
一方、貯水容器の水が無くなり給水ポンプ１からの給水が無くなったことによって、図２、図４に示すように水貯留部２１に水が無くなった場合には、その重力により球状栓２２は、球状栓２２の球面と嵌合するように凹設された吐出孔２３に嵌合し、こうして吐出孔２３を封止するため飲料用ディスペンサーへの送液経路を分断する。
【００３７】
このように水貯留部２１の内部に水が無くなった場合には、送液経路が分断された状態となるが、なおも給水ポンプ１は作動しており、ダイアフラムポンプの機構により空気を送り続けることにより水検知装置２の内部の圧力が上昇する。
この水検知装置２の内部の圧力が所定の上限に達したとき、給水ポンプ１はそれ以上空気を送り続けることができずにその作動が停止する。
【００３８】
また、水貯留部２１の内部に水が無くなってから再度水を通液するときには、水検出装置２の高くなった内部圧力を常圧に戻すため、脱気装置２４を開け内部の空気を外部の空気へ解放する。そして、レバー２５を手動で押下げることにより、それと「てこ」の原理で連動する押上棒２６が球状栓２２を押し上げ、球状栓２２が吐出孔２３を封止した状態を解除し、水検知装置２から水が流れ出るようになる。図２で、二点鎖線で示す球状栓２２は、吐出孔２３を封止する状態を示す。また、実線で示す球状栓２２は、押上棒２６により押し上げられ、吐出孔２３を封止した状態を解除した状態を示す。
【００３９】
この脱気装置２４とレバー２５は、外部より視認することができ、水貯水部２１に水が無くなってから再度水を通液するときには、給水装置の筺体を分解しなくても操作することができる。また、これらの脱気装置２４とレバー２５を誤って作動させないために、それらを視認することができる窓に透明状、半透明状などの板を設置することができる。
【００４０】
圧力検知器４は、水検知装置２と飲料用ディスペンサーとの間であって、給水装置内部に設置され、水検知装置２より吐出される水の圧力を検知する。
【００４１】
この圧力検知器４は、図５に示す電気回路５の一部である圧力スイッチ４１と接続されている。そして、電気回路５は、外部接続機器Ｃである飲料ディスペンサーに電気を供給する外部接続機器用コンセント５３、その通電・遮断を行うリレースイッチ５１及び５２、並びに警告ランプ５４とブザー５５とリレー５６、並びに漏電遮断機５７に圧力スイッチ４１から構成される。
【００４２】
また、圧力検知器４は、水検知装置２より水が吐出された場合に吐出された水の圧力を検知し、所定の下限圧力より高い圧力を検知した場合には圧力スイッチ４１への電流が遮断される機構を備えており、一方、所定の下限圧力より低い圧力しか検知されない場合には圧力スイッチ４１へ電流が通る機構を備えている。
【００４３】
この圧力検知器４と圧力スイッチ４１の機構により、水検知装置２からの水の吐出圧力が所定の下限圧力より高い場合には、圧力スイッチ４が通電せず、リレースイッチ５１及び５２が通電するため、外部接続機器用コンセント５３を介し、外部の飲料用ディスペンサーへ電気を供することができる。
【００４４】
一方、水検知装置２からの水の吐出圧力が所定の下限圧力より低い場合には、リレースイッチ５１及び５２には通電せず、外部接続機器Ｃである飲料ディスペンサーには電気が供給されない。また、同時に圧力スイッチ４１には通電し、警告ランプ５４及びブザー５５が作動し、飲料用ディスペンサー供給にするための貯水容器Ａ１及びＡ２内の水がなくなったことを外部への警告を行うことができる。
【００４５】
さらに、この外部への警告により、給水装置内部に水が無い状態を短い時間にすることができ、給水装置内部で細菌、菌類が増殖することを防ぐことができる。
【符号の説明】
【００４６】
１・・・・・・・・・・給水ポンプ
２・・・・・・・・・・水検知装置
２１・・・・・・・・・水貯水部
２２・・・・・・・・・球状栓
２３・・・・・・・・・吐出孔
２４・・・・・・・・・脱気装置
２５・・・・・・・・・レバー
２６・・・・・・・・・押上棒
３・・・・・・・・・・レギュレーター
４・・・・・・・・・・圧力検知器
４１・・・・・・・・・圧力スイッチ
５・・・・・・・・・・電気回路
５１・・・・・・・・・リレースイッチ
５２・・・・・・・・・リレースイッチ
５３・・・・・・・・・外部接続機器用コンセント
５４・・・・・・・・・警告ランプ
５５・・・・・・・・・ブザー
５６・・・・・・・・・リレー
５７・・・・・・・・・漏電遮断器
【図１】
0003163061.tif 000003
【図２】
0003163061.tif 000004
【図３】
0003163061.tif 000005
【図４】
0003163061.tif 000006
【図５】
0003163061.tif 000007
【手続補正書】
【提出日】平成22年7月28日(2010.7.28)
【手続補正１】
【補正対象書類名】実用新案登録請求の範囲
【補正対象項目名】全文
【補正方法】変更
【補正の内容】
【実用新案登録請求の範囲】
【請求項１】
内部へのガスの吸気又は外部へのガスの排気と連動するダイアフラムを有する給水ポンプと、水貯留部と貯留した水に浮遊する球状栓と貯留した水を吐出する吐出孔とを有し、給水ポンプの吐出側に接続される水検知装置と、給水ポンプからの給水がなくなったとき球状栓が吐出孔を封止し、水検知装置の内部の圧力が所定の上限圧力に達したとき給水ポンプの作動を停止させる給水ポンプ停止手段と、を具備することを特徴とする飲料ディスペンサー用給水装置。
【請求項２】
水の吐出圧力を検知し水検知装置の吐出側に接続される圧力検知器と、圧力検知器によって検知した吐出圧力が所定の下限圧力に達したとき警告をする警告手段とを具備することを特徴とする請求項１に記載の給水装置。
【請求項３】
水検知装置が、球状栓が吐出孔を封止した状態を解除する解除装置と、水検知装置内部の空気と外部の空気を接触させることにより内部の圧力を低下させる脱気装置とを具備することを特徴とする請求項１又は２に記載の給水装置。
【請求項４】
解除装置が、手動により作動するレバーと、レバーと連動し球状栓を押し上げ球状栓が吐出孔を封止した状態を解除する押上棒とを具備することを特徴とする請求項３に記載の給水装置。